(57)【要約】【課題】  複数種類の局線状態表示器を装着可能なボタン電話機を複数接続した主装置の制御性能の低下を防止する。【解決手段】  主装置１０と、複数種類の局線状態表示器を装着可能なボタン電話機１１を複数備えたボタン電話装置において、ボタン電話機１１は、装着された局線状態表示器７（８）の種類を検出し、主装置１０から送信された局線状態表示情報が検出された局線状態表示器７（８）の種類と一致するか否かを判定し、主装置１０から送信された局線状態表示情報が検出された局線状態表示器７（８）とは異なる種類の局線状態表示器に対応したものであると判定された場合には、主装置１０から送信される局線状態をボタン電話機１１に装着された局線状態表示器７（８）で表示することができるように変換し、変換された局線状態表示情報をボタン電話機１１に装着された局線状態表示器７（８）に表示させる。【選択図】  図１
2005065157.tif 000002
【特許請求の範囲】
【請求項１】
主装置と、該主装置から送信される局線状態を表示するための、複数種類の局線状態表示器を装着可能なボタン電話機を複数備えたボタン電話装置において、
前記複数のボタン電話機の各々は、
該ボタン電話機に装着された局線状態表示器の種類を検出する検出手段と、
前記主装置から送信された局線状態表示情報が該検出手段で検出された局線状態表示器の種類と一致するか否かを判定する判定手段と、
該判定手段によって、前記主装置から送信された局線状態表示情報が前記検出手段で検出された局線状態表示器とは異なる種類の局線状態表示器に対応したものであると判定された場合には、前記主装置から送信される局線状態を前記ボタン電話機に装着された局線状態表示器で表示することができるように変換する変換手段と、
該変換手段によって変換された局線状態表示情報を前記ボタン電話機に装着された局線状態表示器に表示させる表示手段とを備えることを特徴とするボタン電話装置。
【請求項２】
前記複数種類の局線状態表示器は、ＬＥＤまたはＬＣＤ、もしくはこれらの両方を含むことを特徴とする請求項１記載のボタン電話装置。
【請求項３】
主装置に接続され、該主装置から送信される局線状態を表示するための、複数種類の局線状態表示器を装着可能なボタン電話機であって、
該ボタン電話機に装着された局線状態表示器の種類を検出する検出手段と、
前記主装置から送信された局線状態表示情報が該検出手段で検出された局線状態表示器の種類と一致するか否かを判定する判定手段と、
該判定手段によって、前記主装置から送信された局線状態表示情報が前記検出手段で検出された局線状態表示器とは異なる種類の局線状態表示器に対応したものであると判定された場合には、前記主装置から送信される局線状態を該ボタン電話機に装着された局線状態表示器で表示することができるように変換する変換手段と、
該変換手段によって変換された局線状態表示情報を該ボタン電話機に装着された局線状態表示器に表示させる表示手段とを備えることを特徴とするボタン電話機。
【請求項４】
前記複数種類の局線状態表示器は、ＬＥＤまたはＬＣＤ、もしくはこれらの両方を含むことを特徴とする請求項３記載のボタン電話装置。
【請求項５】
主装置に接続され、該主装置から送信される局線状態を表示するための、複数種類の局線状態表示器を装着可能なボタン電話機の制御方法であって、
該ボタン電話機に装着された局線状態表示器の種類を検出し、
前記主装置から送信された局線状態表示情報が該検出された局線状態表示器の種類と一致するか否かを判定し、
前記主装置から送信された局線状態表示情報が検出された局線状態表示器とは異なる種類の局線状態表示器に対応したものであると判定された場合には、前記主装置から送信される局線状態を該ボタン電話機に装着された局線状態表示器で表示することができるように変換し、
該変換された局線状態表示情報を該ボタン電話機に装着された局線状態表示器に表示させることを特徴とするボタン電話機の制御方法。
【請求項６】
前記主装置から送信される局線状態を、局線状態表示器にピクト表示または文字表示、あるいはこれらの両方の方式で表示することを特徴とする請求項５記載のボタン電話機の制御方法。
【発明の詳細な説明】
【技術分野】
【０００１】
本発明は、ボタン電話装置に関し、特に、複数種類の局線状態表示器を装着可能なボタン電話機を複数備えたボタン電話装置に関する。
【背景技術】
【０００２】
従来のボタン電話装置は、図３に示すように、主装置５０と複数のボタン電話機５１とがケ−ブル４９を介して接続され、各々の制御デ−タ送受回路４２、４３を介して制御デ−タの送受信が行われる。ボタン電話機５１の局線状態表示器装着部４６には、局線の状態をＬＥＤで表示する局線状態表示器（ＬＥＤ）４７、または、局線状態をＬＣＤで表示する局線状態表示器（ＬＣＤ）４８のいずれか一方が装着される。尚、キー４５は、各種情報を入力するボタンである。
【０００３】
そして、ボタン電話機５１の制御部４４で検出した局線状態表示器（４７または４８）の種類の検出結果を主装置５０の制御部４１に送信すると、制御部４１は、複数存在する局線状態表示器制御信号の中から、局線状態表示器（４７または４８）の種類に応じた局線状態表示器制御信号を選択してボタン電話機５１の制御部４４に送出し、ボタン電話機５１において局線状態を表示していた。
【０００４】
一方、ＬＣＤ用の表示信号をＬＥＤ用の表示信号に変換する技術として、特許文献１には、ＬＣＤ用の表示信号をＬＥＤ用の表示信号に変換する際に、表示信号を表示装置に対してシリアル方式で供給する技術が掲載されている。
【０００５】
【特許文献１】特開平５−３０３３４５号公報
【発明の開示】
【発明が解決しようとする課題】
【０００６】
しかし、上記従来のボタン電話装置においては、ボタン電話機の局線状態表示器の種類に応じて制御デ−タを主装置に複数準備する必要があるため、主装置の制御性能が低下するという問題があった。
【０００７】
そこで、本発明は、上記従来のボタン電話装置における問題点に鑑みてなされたものであって、複数種類の局線状態表示器を装着可能なボタン電話機を複数備えたボタン電話装置であっても、主装置の制御性能が低下することのないボタン電話装置等を提供することを目的とする。
【課題を解決するための手段】
【０００８】
上記目的を達成するため、本発明は、主装置と、該主装置から送信される局線状態を表示するための、複数種類の局線状態表示器を装着可能なボタン電話機を複数備えたボタン電話装置において、前記複数のボタン電話機の各々は、該ボタン電話機に装着された局線状態表示器の種類を検出する検出手段と、前記主装置から送信された局線状態表示情報が該検出手段で検出された局線状態表示器の種類と一致するか否かを判定する判定手段と、該判定手段によって、前記主装置から送信された局線状態表示情報が前記検出手段で検出された局線状態表示器とは異なる種類の局線状態表示器に対応したものであると判定された場合には、前記主装置から送信される局線状態を前記ボタン電話機に装着された局線状態表示器で表示することができるように変換する変換手段と、該変換手段によって変換された局線状態表示情報を前記ボタン電話機に装着された局線状態表示器に表示させる表示手段とを備えることを特徴とする。
【０００９】
そして、本発明によれば、ボタン電話機において、局線状態表示器の種類を検出し、局線状態表示器の種類に応じて適切な局線状態表示情報に変換して局線状態表示器に表示させるため、主装置側の制御処理に負荷を加えることがなく、ボタン電話装置の制御性能の低下を防止し、電話機の利用者の利便性を向上させることができる。
【００１０】
前記複数種類の局線状態表示器は、ＬＥＤまたはＬＣＤ、もしくはこれらの両方を含むものとすることができる。
【００１１】
また、本発明は、主装置に接続され、該主装置から送信される局線状態を表示するための、複数種類の局線状態表示器を装着可能なボタン電話機であって、該ボタン電話機に装着された局線状態表示器の種類を検出する検出手段と、前記主装置から送信された局線状態表示情報が該検出手段で検出された局線状態表示器の種類と一致するか否かを判定する判定手段と、該判定手段によって、前記主装置から送信された局線状態表示情報が前記検出手段で検出された局線状態表示器とは異なる種類の局線状態表示器に対応したものであると判定された場合には、前記主装置から送信される局線状態を該ボタン電話機に装着された局線状態表示器で表示することができるように変換する変換手段と、該変換手段によって変換された局線状態表示情報を該ボタン電話機に装着された局線状態表示器に表示させる表示手段とを備えることを特徴とする。これによって、上述のように、主装置側の制御処理の負荷の増加を抑え、ボタン電話装置の制御性能低下を防止することができ、電話機の利用者の利便性を向上させることのできるボタン電話機を提供することができる。
【００１２】
前記ボタン電話機においても、前記複数種類の局線状態表示器を、ＬＥＤまたはＬＣＤ、もしくはこれらの両方を含むようにすることができる。
【００１３】
さらに、本発明は、主装置に接続され、該主装置から送信される局線状態を表示するための、複数種類の局線状態表示器を装着可能なボタン電話機の制御方法であって、該ボタン電話機に装着された局線状態表示器の種類を検出し、前記主装置から送信された局線状態表示情報が該検出された局線状態表示器の種類と一致するか否かを判定し、前記主装置から送信された局線状態表示情報が前記検出手段で検出された局線状態表示器とは異なる種類の局線状態表示器に対応したものであると判定された場合には、前記主装置から送信される局線状態を該ボタン電話機に装着された局線状態表示器で表示することができるように変換し、該変換された局線状態表示情報を該ボタン電話機に装着された局線状態表示器に表示させることを特徴とする。これによって、上述のように、主装置側の制御処理に負荷を加えずに、ボタン電話装置の制御性能低下を防止し、電話機の利用者の利便性を向上させることが可能となる。
【００１４】
前記主装置から送信される局線状態を、局線状態表示器にピクト表示または文字表示、あるいはこれらの両方の方式で表示するようにすることができ、これによって、電話機の利用者は、一目で局線状態を確認することができ、または、文字でも確認することができる。
【発明の効果】
【００１５】
以上説明したように、本発明によれば、ＬＣＤ、ＬＥＤ等、複数種類の局線状態表示器を装着可能なボタン電話機を複数備えたボタン電話装置であっても、主装置の制御性能が低下することのないボタン電話装置等を提供することができる。
【発明を実施するための最良の形態】
【００１６】
図１は、本発明にかかるボタン電話装置の一実施の形態を示し、このボタン電話装置の主装置１０とボタン電話機１１とは、各々の制御部１、４が各々の制御デ−タ送受回路２、３とケ−ブル９を介して接続され、制御デ−タの送受信を行う。
【００１７】
ボタン電話機１１の局線状態表示器装着部６は、局線の状態を表示する表示器の装着部であり、局線状態をＬＥＤで表示する局線状態表示器（ＬＥＤ）７、または、局線状態をＬＣＤで表示する局線状態表示器（ＬＣＤ）８のいずれか一方を選択して装着することができる構造となっている。 キー５は、各種情報を入力するボタンである。
【００１８】
図２は、図１の局線状態表示器（ＬＣＤ）８の詳細を示し、この局線状態表示器（ＬＣＤ）８は、局線ボタン２１〜２３と、この局線２１〜２３に対応した局線状態をピクトで表示するピクト表示部２４〜２６と、この局線２１〜２３に対応した局線状態をキャラクタ文字で表示するキャラクタ表示部２７〜２９とで構成されている。
【００１９】
次に、上記構成を有するボタン電話装置の動作について、図１及び図２を参照しながら詳細に説明する。
【００２０】
ケ−ブル９にボタン電話機１１が接続されると、制御部４は、局線状態表示器装着部６に装着された局線状態表示器の種類を検出する。具体的には、局線状態表示器装着部６に局線状態表示器（ＬＥＤ）７または局線状態表示器（ＬＣＤ）８が装着されると、制御部４とは局線状態表示器の制御信号により接続されて、局線状態表示器の種類により異なる局線状態表示器種別信号を制御部４の局線状態表示器種別検出ポートに供給することにより、制御部４は局線状態表示器種別を検出可能となる。
【００２１】
次に、制御部４は、制御部１から送信されるＬＥＤ表示を想定した局線状態表示情報を受信すると、ボタン電話機１１の内部で下記の処理を行う。
【００２２】
局線状態表示器の種類の検出結果がＬＥＤによる局線状態表示器であった場合には、制御部４は、主装置１０の制御部１、制御デ−タ送受回路２、ケ−ブル９、ボタン電話機１１の制御デ−タ送受回路３を介してＬＥＤ表示を想定した局線状態表示情報を受信すると、この情報を変換する必要がないため、ＬＥＤ表示を想定した局線状態表示情報をそのまま局線状態表示器（ＬＥＤ）７に送信し、局線の状態をＬＥＤにて表示させる。
【００２３】
一方、局線状態表示器の種類の検出結果がＬＣＤによる局線状態表示器であった場合には、制御部４は、主装置１０の制御部１、制御デ−タ送受回路２、ケ−ブル９、ボタン電話機１１の制御デ−タ送受回路３を介してＬＥＤ表示を想定した局線状態表示情報を受信すると、この情報に対応して予め決められた局線の状態を表現するピクトを対応する局線ボタン２１〜２３に併設されたピクト表示部２４〜２６に表示するとともに、この局線ボタン２１〜２３に対応した局線状態を局線ボタン２１〜２３に併設されたキャラクタ表示部２７〜２９に文字で表示する。
【図面の簡単な説明】
【００２４】
【図１】本発明にかかるボタン電話装置の一実施の形態の全体構成を示すブロック図である。
【図２】図１のボタン電話機の局線状態表示器（ＬＣＤ）の構成を示すブロック図である。
【図３】従来のボタン電話装置の全体構成の一例を示すブロック図である。
【符号の説明】
【００２５】
１      制御部
２      制御デ−タ送受回路
３      制御デ−タ送受回路
４      制御部
５      キー
６      局線状態表示器装着部
７      局線状態表示器（ＬＥＤ）
８      局線状態表示器（ＬＣＤ）
９      ケ−ブル
１０    主装置
１１    ボタン電話機
２１    局線ボタン
２２    局線ボタン
２３    局線ボタン
２４    ピクト表示部
２５    ピクト表示部
２６    ピクト表示部
２７    キャラクタ表示部
２８    キャラクタ表示部
２９    キャラクタ表示部
【図１】
2005065157.tif 000003
【図２】
2005065157.tif 000004
【図３】
2005065157.tif 000005